(57)【要約】【課題】各種電源から出力される直流電力の変動する電気代に応じて、負荷への直流電力の供給を制御する。【解決手段】記憶部に格納された、各々の直流電力の１キロワット時あたりの電力単価を計算するための所定の計算式を受信するステップと、前記各々の直流電力の電力量のそれぞれを、各々のコンバータから取得するステップと、前記受信された所定の計算式に前記取得された各々の直流電力の電力量を代入して各々の電力単価を計算するステップと、前記計算された各々の電力単価を安い順番に優先順位を付けるステップと、前記優先順位が高い順番に直流電力を負荷に供給するように、前記各々のコンバータから出力される直流電力を制御するステップとを備える。【選択図】図１
2015173525.tif 000002
【特許請求の範囲】
【請求項１】
電力系統から出力される交流電力を直流電力へ変換するコンバータと、複数の分散電源から出力された直流電力の電圧をそれぞれ調整する複数のコンバータと、記憶部とを備えたシステムによる直流電力の供給制御方法であって、
前記記憶部に格納された、各々の直流電力の１キロワット時あたりの電力単価を計算するための所定の計算式を受信するステップと、
前記各々の直流電力の電力量のそれぞれを、各々のコンバータから取得するステップと、
前記受信された所定の計算式に前記取得された各々の直流電力の電力量を代入して各々の電力単価を計算するステップと、
前記計算された各々の電力単価を安い順番に優先順位を付けるステップと、
前記優先順位が高い順番に直流電力を負荷に供給するように、前記各々のコンバータから出力される直流電力を制御するステップと
を備えることを特徴とする直流電力の供給制御方法。
【請求項２】
前記システムは、前記負荷に供給するための直流電力を充電する蓄電池をさらに備え、
前記優先順位が最も高い直流電力の電力量が前記負荷に供給される直流電力の電力量を超えた場合、該超えた電力の電力単価が前記蓄電池の電力単価を下回るかを判定するステップと、
前記超えた電力の電力単価が前記蓄電池の電力単価を下回った場合、前記超えた電力を前記蓄電池に充電するステップと
をさらに備えることを特徴とする請求項１に記載の直流電力の供給制御方法。
【請求項３】
電力系統から出力される交流電力を直流電力へ変換するコンバータと、複数の分散電源から出力された直流電力の電圧をそれぞれ調整する複数のコンバータと、記憶部とを備えた直流電力の供給制御システムであって、
前記記憶部に格納された、各々の直流電力の１キロワット時あたりの電力単価を計算するための所定の計算式を受信する受信部と、
前記各々の直流電力の電力量のそれぞれを、各々のコンバータから取得する取得部と、
前記受信された所定の計算式に前記取得された各々の直流電力の電力量を代入して各々の電力単価を計算する計算部と、
前記計算された各々の電力単価を安い順番に優先順位を付ける決定部と、
前記優先順位が高い順番に直流電力を負荷に供給するように、前記各々のコンバータから出力される直流電力を制御する電力制御部と
を備えたことを特徴とする直流電力の供給制御システム。
【請求項４】
前記負荷に供給するための直流電力を充電する蓄電池をさらに備え、
前記優先順位が最も高い直流電力の電力量が前記負荷に供給される直流電力の電力量を超えた場合、該超えた電力の電力単価が前記蓄電池の電力単価を下回るかを判定する判定部と、
前記超えた電力の電力単価が前記蓄電池の電力単価を下回った場合、前記超えた電力を前記蓄電池に充電する充電部と
をさらに備えたことを特徴とする請求項３に記載の直流電力の供給制御システム。
【発明の詳細な説明】
【技術分野】
【０００１】
本発明は、負荷への直流電力の供給を制御する直流電力の供給制御方法および直流電力の供給制御システムに関する。
【背景技術】
【０００２】
従来から、商用電力系統から出力される交流電力を変換した直流電力や、分散電源から出力される直流電力を、負荷に供給する直流電源システムが知られている。本明細書では、分散電源は、太陽電池、蓄電池、燃料電池を含む。また、負荷は、サーバやルータ等のＩＣＴ（Information and Communication Technology：情報通信技術）装置を含む。
【０００３】
負荷への直流電力の供給元の電源の種類が変化すると、直流電力に掛かる電気代も変化する。例えば、商用電力系統から出力される電力については、深夜時間帯の電気代が割安になる深夜電力がある。また、太陽電池については、設置する際には費用が掛かるが、一度設置すると電気代は掛からない。
【０００４】
そこで、事前に電気代が安い順番に優先順位を付けて、優先順位の高い電力を優先的に使用することで、電気代を低減させるシステムが、例えば、特許文献１に開示されている。
【先行技術文献】
【特許文献】
【０００５】
【特許文献１】特開平１１−１７８２３７号公報
【発明の概要】
【発明が解決しようとする課題】
【０００６】
しかしながら、特許文献１に記載のシステムについては、優先順位を付ける条件が予め決められており、例えば、１日のうちに電気代が変動するダイナミックプライシングや、分散電源のうち燃料電池で使用される燃料の価格変動に対応できなかった。したがって、従来の技術では、電気代が高い電源から出力される直流電力を負荷に供給する可能性があり、電気代が高くなるという問題があった。
【０００７】
本発明は、このような問題に鑑みてなされたもので、その目的とするところは、各種電源から出力される直流電力の変動する電気代に応じて、負荷への直流電力の供給を制御する直流電力の供給制御方法および直流電力の供給制御システムを提供することにある。
【課題を解決するための手段】
【０００８】
本発明は、このような目的を達成するために、請求項１に記載の発明は、電力系統から出力される交流電力を直流電力へ変換するコンバータと、複数の分散電源から出力された直流電力の電圧をそれぞれ調整する複数のコンバータと、記憶部とを備えたシステムによる直流電力の供給制御方法であって、前記記憶部に格納された、各々の直流電力の１キロワット時あたりの電力単価を計算するための所定の計算式を受信するステップと、前記各々の直流電力の電力量のそれぞれを、各々のコンバータから取得するステップと、前記受信された所定の計算式に前記取得された各々の直流電力の電力量を代入して各々の電力単価を計算するステップと、前記計算された各々の電力単価を安い順番に優先順位を付けるステップと、前記優先順位が高い順番に直流電力を負荷に供給するように、前記各々のコンバータから出力される直流電力を制御するステップとを備える。
【発明の効果】
【０００９】
以上説明したように、本発明によれば、各種電源から出力される直流電力を電力単価が安い順番で負荷に供給することが可能となり、負荷で使用される直流電力の電力単価を低減することが可能となる。
【図面の簡単な説明】
【００１０】
【図１】本発明の一実施形態にかかる直流電力の供給制御システムを用いた負荷給電システムを示す構成図である。
【図２】本発明の一実施形態にかかる直流電力の供給制御方法を示すフローチャートである。
【発明を実施するための形態】
【００１１】
以下、図面を参照しながら本発明の実施形態について詳細に説明する。
【００１２】
（構成）  
図１に本発明の一実施形態にかかる直流電力の供給制御システムを用いた負荷給電システムの構成を示す。負荷給電システム１０００は、交流電源である商用電力系統１から出力された交流電力を２つに分岐して供給する受電設備２と、受電設備２で分岐した一方の交流電力を直流電力に変換し負荷６に供給する整流装置４と、停電時に継続して負荷６に給電するためのバックアップ用蓄電池５とを備える。
【００１３】
また、負荷給電システム１０００は、負荷６に供給するための直流電力を生成する分散電源２００と、受電設備２で分岐した他方の交流電力を直流電力に変換し、変換した直流電力の電力量および分散電源２００から出力される直流電力の電力量を調整して、調整した直流電力を負荷６に供給する直流電力の供給制御システム３とを備える。分散電源２００は、太陽電池７と、蓄電池８と、燃料電池９とを備える。負荷給電システム１０００は、直流電力の供給制御システム３が商用電力系統１および分散電源２００の電力の供給を制御するために使用する情報を格納する記憶部１０を備える。
【００１４】
本発明の一実施形態にかかる直流電力の供給制御システム３は、受電設備２で分岐した交流電力を直流電力に変換して、変換した直流電力の電力量を調整するＡＣ／ＤＣコンバータ１１と、太陽電池７から出力された直流電力の電圧を調整するＤＣ／ＤＣコンバータ１２と、蓄電池８から出力された直流電力の電圧を調整するＤＣ／ＤＣコンバータ１３と、燃料電池９から出力された直流電力の電圧を調整するＤＣ／ＤＣコンバータ１４とを備える。ＤＣ／ＤＣコンバータ１３は、双方向のコンバート機能を有する。
【００１５】
また、本発明の一実施形態にかかる直流電力の供給制御システム３は、ＡＣ／ＤＣコンバータ１１から出力された直流電力、ＤＣ／ＤＣコンバータ１２から出力された直流電力、ＤＣ／ＤＣコンバータ１３から出力された直流電力、およびＤＣ／ＤＣコンバータ１４から出力された直流電力を合成して、合成した直流電力の電圧値を負荷６に印加する電圧値に調整する給電ユニット１５を備える。ＡＣ／ＤＣコンバータ１１の出力端子と、ＤＣ／ＤＣコンバータ１２の出力端子と、ＤＣ／ＤＣコンバータ１３の出力端子と、ＤＣ／ＤＣコンバータ１４の出力端子と、給電ユニット１５の入力端子とは、ＤＣバス１７で接続されている。また、給電ユニット１５の出力端子と負荷６の入力端子とは、ＤＣバス１８で接続されている。
【００１６】
さらに、本発明の一実施形態にかかる直流電力の供給制御システム３は、記憶部１０から受信した情報に基づいて、各々のコンバータから出力された直流電力の電力単価を計算し、各々のコンバータから出力された直流電力の電力単価の優先順位を付けて、優先順位に応じて、各々のコンバータから出力された直流電力の負荷６への供給を制御する制御部１６を備える。本明細書では、電力単価は、１キロワット時あたりの価格をいい、単位は、（円/ｋＷｈ）である。本明細書では、各々のコンバータは、ＡＣ／ＤＣコンバータ１１、ＤＣ／ＤＣコンバータ１２、ＤＣ／ＤＣコンバータ１３、およびＤＣ／ＤＣコンバータ１４を含む。
【００１７】
制御部１６は、各々のコンバータから出力された直流電力の電力量から電力単価を計算するために必要となる所定の計算式を記憶部１０から定期的に受信する受信部１６１と、各々のコンバータから出力された直流電力の電力量を取得する取得部１６２とを備える。
【００１８】
制御部１６は、取得された直流電力の電力量を所定の計算式に代入して電力単価を算出する演算部１６３と、算出された電力単価に基づいて、各々のコンバータから出力された直流電力の電力単価の優先順位付けを行う決定部１６４とを備える。
【００１９】
制御部１６は、決定部１６４で付けられた優先順位に応じて、各々のコンバータから出力される直流電力を制御する電力変換器電力制御部１６５を備える。
【００２０】
例えば、ＤＣ／ＤＣコンバータ１２から出力される直流電力、ＤＣ／ＤＣコンバータ１３から出力される直流電力、ＤＣ／ＤＣコンバータ１４から出力される直流電力、ＡＣ／ＤＣコンバータ１１から出力される直流電力の順番で優先順位が高い場合を考える。また、負荷６に供給される直流電力を５００Ｗとし、ＤＣバス１７にかかる直流電圧およびＤＣバス１８にかかる直流電圧を−４８Ｖとして仮定する。
【００２１】
ＤＣ／ＤＣコンバータ１２から出力される直流電力が、優先順位が最も高いので、電力変換器電力制御部１６５は、ＤＣバス１７にかかる直流電圧が−４８Ｖとなるように、ＤＣ／ＤＣコンバータ１２の出力の直流電圧を調整する。
【００２２】
一方、電力変換器電力制御部１６５は、ＤＣ／ＤＣコンバータ１２以外のＤＣ／ＤＣコンバータ１３、ＤＣ／ＤＣコンバータ１４、およびＡＣ／ＤＣコンバータ１１の出力の直流電圧を−４８Ｖ以下になるようにそれぞれ調整する。このようにして、ＤＣ／ＤＣコンバータ１２から５００Ｗの直流電力を出力させる一方、他のＤＣ／ＤＣコンバータからの直流電力の出力を停止させる。
【００２３】
ＤＣ／ＤＣコンバータ１２から出力される直流電力が負荷６に供給される直流電力が３００Ｗの場合を考える。電力変換器電力制御部１６５は、優先順位が最も高い直流電力を出力するＤＣ／ＤＣコンバータ１２、および優先順位が次に高い直流電力を出力するＤＣ／ＤＣコンバータ１３を、ＤＣバス１７にかかる直流電圧が−４８Ｖとなるように、出力の直流電圧をそれぞれ調整する。
【００２４】
一方、電力変換器電力制御部１６５は、ＡＣ／ＤＣコンバータ１１およびＤＣ／ＤＣコンバータ１４の出力の直流電圧を−４８Ｖ以下になるようにそれぞれ調整する。このようにして、ＤＣ／ＤＣコンバータ１２から２００Ｗの直流電力を出力させ、ＤＣ／ＤＣコンバータ１３から３００Ｗの直流電力を出力させる一方、他のＤＣ／ＤＣコンバータからの直流電力の出力を停止させる。
【００２５】
制御部１６は、負荷６に供給する直流電力を超える余剰電力の電力単価および／またはＡＣ／ＤＣコンバータ１１から出力される直流電力の電力単価が、蓄電池８が予め充電している直流電力の電力単価を下回るか否かを判定する判定部１６６を備える。
【００２６】
本明細書では、余剰電力は、ＤＣ／ＤＣコンバータ１２から出力された直流電力、ＤＣ／ＤＣコンバータ１３から出力された直流電力、およびＤＣ／ＤＣコンバータ１４から出力された直流電力が対象となる。
【００２７】
制御部１６は、余剰電力の電力単価および／またはＡＣ／ＤＣコンバータ１１から出力される直流電力の電力単価が蓄電池８の電力単価を下回る場合、余剰電力および／またはＡＣ／ＤＣコンバータ１１から出力される直流電力をＤＣ／ＤＣコンバータ１３を介して蓄電池８に充電する充電部１６７を備える。なお、充電部１６７は、電力変換器電力制御部１６５を介して、各々のコンバータに指示を送信してもよい。余剰電力および／またはＡＣ／ＤＣコンバータ１１から出力される直流電力の充電の詳細については、後述する。
【００２８】
受信部１６１で取得される情報は、例えば、商用電力系統１の電気料金を計算するための計算式や燃料電池９に係るガス料金から電気料金を計算するための計算式である。受信部１６１が商用電力系統１の電気料金を計算するための計算式を定期的に受信するので、時間帯によって電気料金が変動するダイナミックプライシングに対応することが可能となる。燃料電池９に係るガス料金から電気料金を計算するための計算式は、ガス供給会社が策定したガス料金の計算式に、燃料電池９の直流電力１ｋＷあたり燃料ガスが何ｍ３消費されるかを反映された計算式である。
【００２９】
なお、受信部１６１は、外部からの価格変動情報に連動して情報の受信を行ってもよいが、これに限られない。
【００３０】
取得部１６２で取得される情報は、各々のコンバータから出力される直流電力の電力量である。例えば、各々のコンバータの出力端子付近に設置された電流センサによって測定された電流値に基づいて電力量が計算される。各々の直流電力の測定に各々のコンバータの変換効率を反映させるため、各々の分散電源から出力される直流電力ではなく、各々のコンバータから出力される直流電力を測定の対象とする。
【００３１】
（各々のコンバータから出力される直流電力を制御する処理）  
本発明の一実施形態にかかる直流電力の供給制御システム３の受信部１６１は、変動のある電気料金やガス料金に係る情報を取得し、取得部１６２は、各々のコンバータから出力される直流電力の電力量を取得する。そして、演算部１６３は、受信部１６１で取得される情報および取得部１６２で取得される情報に基づいて、電力単価をそれぞれ計算する。
【００３２】
ここで、受電設備２に接続されているＡＣ／ＤＣコンバータ１１から出力される直流電力をＰＧとし、太陽電池７に接続されているＤＣ／ＤＣコンバータ１２から出力される直流電力をＰＰＶとし、蓄電池８に接続されているＤＣ／ＤＣコンバータ１３から出力される直流電力をＰＢＴとし、燃料電池９に接続されているＤＣ／ＤＣコンバータ１４から出力される直流電力をＰＦＣとする。
【００３３】
また、直流電力ＰＧの電力単価をＰ￥Ｇとし、直流電力ＰＰＶの電力単価をＰ￥ＰＶとし、直流電力ＰＢＴの電力単価をＰ￥ＢＴとし、直流電力ＰＦＣの電力単価をＰ￥ＦＣとする。
【００３４】
演算部１６３は、各種電源に接続された各々のコンバータから出力される直流電力の電力単価を、次の（１）から（４）のように計算する。
（１）直流電力ＰＧの電力単価Ｐ￥Ｇについては、受信部１６１で電力会社から定期的に受信された電気料金に基づいて電力単価Ｐ￥Ｇを算出する。
（２）発電に燃料を使用しない分散電源２００、例えば、太陽電池７に係る電力単価Ｐ￥ＰＶについては、０円/ｋＷｈとして算出する。
（３）発電に燃料を使用する分散電源２００、例えば、燃料電池９に係る電力単価Ｐ￥ＦＣについては、受信部１６１でガス供給会社から定期的に受信されたガス料金（燃料調達費を含む）から電力単価Ｐ￥ＦＣを算出する。
（４）蓄電池８に係る電力単価Ｐ￥ＢＴについては、（１）〜（３）のいずれかの電源から充電されるため、蓄電池８に充電される各種電源毎の電力単価と蓄電池８の充電電力量から電力単価Ｐ￥ＢＴを算出する。
【００３５】
決定部１６４は、演算部１６３で計算された電力単価Ｐ￥ＰＶ、電力単価Ｐ￥Ｇ、電力単価Ｐ￥ＦＣ、電力単価Ｐ￥ＢＴを、安い順番で優先順位を付ける。そして、電力変換器電力制御部１６５は、電力単価の安い直流電力を負荷６に供給できるように、優先順位の高い電力単価の直流電力を出力するコンバータを制御する。
【００３６】
例えば、演算部１６３で計算された各電力単価について、電力単価Ｐ￥ＢＴ、電力単価Ｐ￥ＦＣ、電力単価Ｐ￥Ｇ、電力単価Ｐ￥ＰＶ、の順番で安くなると仮定する。よって、電力単価が最も安い直流電力を出力するコンバータは、ＤＣ／ＤＣコンバータ１２となる。
【００３７】
先ず電力変換器電力制御部１６５は、太陽電池７に接続されたＤＣ／ＤＣコンバータ１２から出力される直流電力ＰＰＶを負荷６に供給する直流電力ＰＯＵＴに充てるように、ＤＣ／ＤＣコンバータ１２を制御する。
【００３８】
次に、ＰＯＵＴ＞ＰＰＶであった場合、電力変換器電力制御部１６５は、電力単価Ｐ￥ＰＶの次に安い電力単価Ｐ￥Ｇの直流電力ＰＧを負荷６に供給する電力ＰＯＵＴに充てるように、ＡＣ／ＤＣコンバータ１１を制御する。
【００３９】
ＰＯＵＴ＞（ＰＰＶ+ＰＧ）であった場合、電力変換器電力制御部１６５は、電力単価Ｐ￥Ｇの次に安い電力単価Ｐ￥ＦＣの直流電力ＰＦＣを負荷６に供給する電力ＰＯＵＴに充てるように、ＤＣ／ＤＣコンバータ１４を制御する。
【００４０】
次に、ＰＯＵＴ＞（ＰＰＶ+ＰＧ+ＰＦＣ）であった場合、電力変換器電力制御部１６５は、電力単価Ｐ￥ＦＣの次に安い電力単価Ｐ￥ＢＴの直流電力ＰＢＴを負荷６に供給する電力ＰＯＵＴに充てるように、ＤＣ／ＤＣコンバータ１３を制御する。
【００４１】
ここで、仮に、負荷６に供給する直流電力ＰＯＵＴを、直流電力ＰＰＶと直流電力ＰＧの２つで賄うことが可能である場合、残りの２つのコンバータであるＤＣ／ＤＣコンバータ１４およびＤＣ／ＤＣコンバータ１３から出力される直流電力は、余ることになる。そこで、例えば、電力変換器電力制御部１６５は、ＤＣ／ＤＣコンバータ１４からの直流電力ＰＦＣおよびＤＣ／ＤＣコンバータ１３からの直流電力ＰＢＴの出力を停止する。
【００４２】
（余剰電力および／またはＡＣ／ＤＣコンバータ１１から出力される直流電力の充電）  
本発明の一実施形態にかかる直流電力の供給制御システム３の判定部１６６は、例えば、判定対象となるコンバータの直流電力ＰＴＡＲＧＥＴを負荷６に供給する電力ＰＯＵＴに充てた場合、ＰＯＵＴ＜ＰＴＡＲＧＥＴとなり、且つ、直流電力ＰＴＡＲＧＥＴの電力単価Ｐ￥ＴＡＲＧＥＴが現在の蓄電池８の電力単価Ｐ￥ＢＴを下回るか否かを判定する。充電部１６７は、ＰＯＵＴ＜ＰＰＶ、且つ、直流電力ＰＴＡＲＧＥＴの電力単価Ｐ￥ＴＡＲＧＥＴが現在の蓄電池８の電力単価Ｐ￥ＢＴを下回った場合、充電部１６７は、余剰電力および／またはＡＣ／ＤＣコンバータ１１から出力される直流電力（ＰＴＡＲＧＥＴ-ＰＯＵＴ）を蓄電池８に充電する。
【００４３】
演算部１６３で計算された電力単価Ｐ￥ＰＶ、電力単価Ｐ￥Ｇ、電力単価Ｐ￥ＦＣ、電力単価Ｐ￥ＢＴの４つの電力単価の大小関係が、次の（式１）から（式６）のような場合を考える。
Ｐ￥ＰＶ＜Ｐ￥Ｇ＜Ｐ￥ＦＣ＜Ｐ￥ＢＴ      （式１）
Ｐ￥ＰＶ＜Ｐ￥ＦＣ＜Ｐ￥Ｇ＜Ｐ￥ＢＴ      （式２）
Ｐ￥ＰＶ＜Ｐ￥Ｇ＜Ｐ￥ＢＴ＜Ｐ￥ＦＣ      （式３）
Ｐ￥ＰＶ＜Ｐ￥ＦＣ＜Ｐ￥ＢＴ＜Ｐ￥Ｇ      （式４）
Ｐ￥ＰＶ＜Ｐ￥ＢＴ＜Ｐ￥Ｇ＜Ｐ￥ＦＣ      （式５）
Ｐ￥ＰＶ＜Ｐ￥ＢＴ＜Ｐ￥ＦＣ＜Ｐ￥Ｇ      （式６）
なお、太陽電池７の電力単価Ｐ￥ＰＶが０（円/ｋＷｈ）であるため、（式１）から（式６）の各式の最も左に位置することに留意されたい。
【００４４】
充電部１６７は、具体的には、次の（５）から（８）のように充電する。
（５）（式１）または（式２）の場合であって、Ｐｏｕｔ＜（ＰＰＶ＋ＰＧ＋ＰＦＣ）の場合、（（ＰＰＶ＋ＰＧ＋ＰＦＣ）−Ｐｏｕｔ）を蓄電池８へ充電する。
（６）（式３）の場合であって、Ｐｏｕｔ＜（ＰＰＶ＋ＰＧ）の場合、（（ＰＰＶ＋ＰＧ）−Ｐｏｕｔ）を蓄電池８へ充電する。
（７）（式４）の場合であって、Ｐｏｕｔ＜（ＰＰＶ＋ＰＦＣ）の場合、（（ＰＰＶ＋ＰＦＣ）−Ｐｏｕｔ）を蓄電池８へ充電する。
（８）（式５）または（式６）の場合であって、Ｐｏｕｔ＜ＰＰＶの場合、（ＰＰＶ−Ｐｏｕｔ）を蓄電池８へ充電する。
【００４５】
蓄電池８に予め充電された直流電力の電力単価Ｐ￥ＢＴを下回る余剰電力を蓄電池８に充電することによって、安い電力単価の直流電力を使用することが可能となり、省コスト化を図ることが可能となる。
【００４６】
なお、余剰電力をＡＣ／ＤＣコンバータ１１を介して売電してもよい。
【００４７】
（フローチャート）  
図２に本発明の一実施形態にかかる直流電力の供給制御方法のフローチャートを示す。受信部１６１は、記憶部１０に格納された電気料金に係る計算式、およびガス料金に係る計算式を受信する（Ｓ２０１）。取得部１６２は、各々のコンバータからの直流電力の電力量をそれぞれ取得する（Ｓ２０２）。演算部１６３は、受信された計算式に、取得された電力量を代入して電力単価をそれぞれ計算する（Ｓ２０３）。決定部１６４は、それぞれ計算された電力単価に基づいて、各々のコンバータから出力された直流電力の電力量の優先順位を付ける（Ｓ２０４）。電力変換器電力制御部１６５は、優先順位が高い順に、直流電力を負荷に供給するように、各々のコンバータから出力される直流電力をそれぞれ制御する（Ｓ２０５）。判定部１６６は、負荷６に供給する電力を超える余剰電力の電力単価および／またはＡＣ／ＤＣコンバータ１１から出力される直流電力の電力単価が、蓄電池８が予め充電している直流電力の電力単価を下回るか否かを判定する（Ｓ２０６）。充電部１６７は、余剰電力の電力単価および／またはＡＣ／ＤＣコンバータ１１から出力される直流電力の電力単価が蓄電池８の電力単価を下回る場合、余剰電力および／またはＡＣ／ＤＣコンバータ１１から出力される直流電力を蓄電池８に充電する（Ｓ２０７）。
【００４８】
本実施形態によれば、各種電源から出力される直流電力を電力単価が安い順番で負荷に供給することが可能となり、負荷で使用される直流電力の電力単価を低減することが可能となる。
【００４９】
なお、給電ユニット１５から負荷６に供給される直流電力Ｐｏｕｔの電力単価Ｐ￥ｏｕｔが、整流装置４から出力される直流電力ＰＲＦの電力単価Ｐ￥ＲＦを上回る場合は、整流装置４から出力される直流電力ＰＲＦを負荷６に供給してもよい。
【００５０】
また、図１では、分散電源２００は、太陽電池７と、蓄電池８と、燃料電池９とを備えているが、これに限定されない。例えば、太陽電池７、蓄電池８、燃料電池９がそれぞれ複数あってもよいし、風力発電などの再生可能エネルギーを用いた発電にかかる電源であってもよい。また、蓄電池８は、フライホイールバッテリ、揚水発電であってもよい。
【００５１】
本発明の別の実施例では、負荷６に供給すべき直流電力を５００Ｗとして仮定し、ＤＣ／ＤＣコンバータ１２から出力された直流電力ＰＰＶの電力単価Ｐ￥ＰＶが最も安く、ＡＣ／ＤＣコンバータ１１から出力された直流電力ＰＧの電力単価Ｐ￥Ｇが次に安いと仮定した場合であって、４００Ｗ分の直流電力をＤＣ／ＤＣコンバータ１２が出力した場合、電力変換器電力制御部１６５は、残りの１００Ｗ分の直流電力を出力するように、ＡＣ／ＤＣコンバータ１１に指示を出してもよい。
【００５２】
また、本発明の別の実施例では、負荷６に供給すべき直流電力を５００Ｗ、蓄電池８に充電可能な電力量が１０ｋＷとして仮定し、ＤＣ／ＤＣコンバータ１２から出力された直流電力ＰＰＶの電力単価Ｐ￥ＰＶが最も安く、ＡＣ／ＤＣコンバータ１１から出力された直流電力ＰＧの電力単価Ｐ￥Ｇが次に安いと仮定した場合であって、４００Ｗ分の直流電力をＤＣ／ＤＣコンバータ１２が出力した場合、電力変換器電力制御部１６５は、残りの１００Ｗ分の直流電力にさらに１０ｋＷ分の直流電力を加えた１０．１ｋＷ分の直流電力を出力するように、ＡＣ／ＤＣコンバータ１１に指示を出してもよい。次に、充電部１６７は、ＡＣ／ＤＣコンバータ１１から出力された１０．１ｋＷ分の直流電力のうち、１００Ｗ分の直流電力を負荷６に供給し、１０ｋＷ分の直流電力をＤＣ／ＤＣコンバータ１３を介して蓄電池８に供給するようにＡＣ／ＤＣコンバータ１１に指示を出してもよい。
【符号の説明】
【００５３】
１  商用電力系統
２  受電設備
３  直流電力の供給制御システム
４  整流装置
５  バックアップ用蓄電池
６  負荷
７  太陽電池
８  蓄電池
９  燃料電池
１０  記憶部
１１  ＡＣ／ＤＣコンバータ
１２、１３、１４  ＤＣ／ＤＣコンバータ
１５  給電ユニット
１６  制御部
１６１  受信部
１６２  取得部
１６３  演算部
１６４  決定部
１６５  電力変換器電力制御部
１６６  判定部
１６７  充電部
２００  分散電源
１０００  負荷給電システム
【図１】
2015173525.tif 000003
【図２】
2015173525.tif 000004